(57)【要約】    【課題】発光演出手段による斬新な発光演出を実現でき、演出効果を増大できるようにする。    【解決手段】発光カバー５２と、この発光カバー５２に光を照射して発光させる光源５３とを含む発光演出手段２３を備え、発光演出手段２３は発光カバー５２と光源５３との間に配置され且つ光源５３の廻りに回転可能な遮光体５４と、発光カバー５２により覆われ且つ発光カバー５２からの光を発光カバー５２側へと反射する反射体５５とを備えている。遮光体５４は光源５３から発光カバー５２へと光を透過する透過部５６と、光源５３から発光カバー５２への光を遮光する遮光部５７とを回転方向に備えている。【選択図】  図７
2014155520.tif 000002
【特許請求の範囲】
【請求項１】
発光カバーと、該発光カバーに光を照射して発光させる光源とを含む発光演出手段を備えた遊技機において、
前記発光演出手段は前記発光カバーと前記光源との間に該光源に対して相対移動可能に配置された遮光体を備え、
該遮光体は前記光源から前記発光カバーへと光を透過する透過部と、前記光源から前記発光カバーへの光を遮光する遮光部とを有する
ことを特徴とする遊技機。
【請求項２】
前記発光演出手段は前記発光カバーにより覆われ且つ前記光源及び前記発光カバー、又は前記発光カバーからの光を前記発光カバー側へと反射する反射体を備えた
ことを特徴とする請求項１に記載の遊技機。
【請求項３】
前記遮光体は前記光源の廻りを回転可能であり、
前記遮光体の回転方向に前記透過部と前記遮光部とを備えた
ことを特徴とする請求項１又は２に記載の遊技機。
【請求項４】
前記透過部は前記発光カバーの一部分に光を透過する部分用透過部と、
該部分用透過部よりも広い部分に光を透過する広域用透過部とを有する
ことを特徴とする請求項１〜３の何れかに記載の遊技機。
【請求項５】
前記光源は発光基板に装着されたＬＥＤと、
該ＬＥＤからの光を拡散させる拡散部とを備えた
ことを特徴とする請求項１〜４の何れかに記載の遊技機。
【請求項６】
前記遮光体は回転軸心方向に長い中空状の本体部を有し、
前記光源は前記本体部の中心近傍に該本体部の回転軸心に沿って配置されている
ことを特徴とする請求項１〜５の何れかに記載の遊技機。
【請求項７】
前記遮光体は前記遮光部と前記透過部とを回転方向に複数個備え、
該複数個の遮光部及び透過部のうち少なくとも１は回転方向の長さが前記光源の光の拡散領域よりも大である
ことを特徴とする請求項４に記載の遊技機。
【請求項８】
前記遮光体は前記遮光部と前記透過部とを回転方向に複数個備え、
前記複数個の遮光部のうち少なくとも１は回転方向の長さが前記光源の光の拡散領域よりも大であり、
前記複数個の透過部のうち１は回転方向の長さが前記拡散領域よりも小の閃光用透過部であり、
前記閃光用透過部と該閃光用透過部の回転方向の両側の前記遮光部との回転方向の長さが前記拡散領域よりも大である
ことを特徴とする請求項３に記載の遊技機。
【請求項９】
前記遮光体は遊技機本体の中央から遠い側が前記中央に近い側よりも大径であり、
該遮光体は前記遠い側が前記近い側よりも前側となる回転軸心廻りに回転する
ことを特徴とする請求項４に記載の遊技機。
【発明の詳細な説明】
【技術分野】
【０００１】
本発明は、スロットマシン、パチンコ機、アレンジボール機等の遊技機に関するものである。
【背景技術】
【０００２】
例えばスロットマシン、パチンコ機等の遊技機は、前面側の適当箇所に発光演出手段を備え、ボーナスゲーム等の特別遊技状態、その他の遊技状態となったときに、その発光演出手段を発光させて遊技状態を光学的に演出するようにしている。
【０００３】
この発光演出手段には、従来、発光カバー内で光源を往復揺動させる揺動式（特許文献１）、発光カバー内で反射板を回転させる回転式（特許文献２）、発光カバー内で反射体を上下動させる上下動式（特許文献３）等がある。
【０００４】
揺動式の発光演出手段は、発光カバーの背後に配置された光源を支軸廻りに往復揺動させながら、光源からの光が発光カバーに照射する位置を変化させるようにしている。また回転式の発光演出手段は、上向きに配置された光源と、光源の上側で縦軸廻りに回転する反射板とを発光カバーの背後に備え、反射板を縦軸廻りに回転させながら、その反射面により光源からの光を発光カバー側へと反射して、発光カバーを回転発光させるようにしている。
【０００５】
回転式の発光演出手段は、固定側に上向きに配置された光源と、外周に反射面を有し且つ光源の上側に上下動自在に配置された反射体とを発光カバーの背後に備え、反射体を上下動させながら、その外周の反射面により、光源からの光が発光カバーに反射する位置を変化させるようにしている。
【先行技術文献】
【特許文献】
【０００６】
【特許文献１】特開２００５−１９９０３４号公報
【特許文献１】特開２０１１−８７６３３号公報
【特許文献１】特開２０１２−２１７７２５号公報
【発明の概要】
【発明が解決しようとする課題】
【０００７】
従来の発光演出手段は、何れの方式の場合にも発光カバーの発光状態を変化させることができるが、光源からの光を反射体を介して発光カバーの広い範囲に反射させているため、発光カバーの特定部分を短時間だけ閃光状に発光させる等、発光部分とその他の非発光部分とのコントラストが大になるように発光カバーの一部をスポット的に発光させることができない。そのため従来の発光演出手段では、斬新な発光演出が困難であり演出効果の増大が求められている。
【０００８】
本発明は、このような従来の問題点に鑑み、発光演出手段による斬新な発光演出を実現でき、演出効果を増大できる遊技機を提供することを目的とする。
【課題を解決するための手段】
【０００９】
本発明は、発光カバーと、該発光カバーに光を照射して発光させる光源とを含む発光演出手段を備えた遊技機において、前記発光演出手段は前記発光カバーと前記光源との間に該光源に対して相対移動可能に配置された遮光体を備え、該遮光体は前記光源から前記発光カバーへと光を透過する透過部と、前記光源から前記発光カバーへの光を遮光する遮光部とを有するものである。
【００１０】
前記発光演出手段は前記発光カバーにより覆われ且つ前記光源及び前記発光カバー、又は前記発光カバーからの光を前記発光カバー側へと反射する反射体を備えてもよい。前記遮光体は前記光源の廻りを回転可能であり、前記遮光体の回転方向に前記透過部と前記遮光部とを備えたものでもよい。
【００１１】
前記透過部は前記発光カバーの一部分に光を透過する部分用透過部と、該部分用透過部よりも広い部分に光を透過する広域用透過部とを有するものでもよい。前記光源は発光基板に装着されたＬＥＤと、該ＬＥＤからの光を拡散させる拡散部とを備えたものでもよい。前記遮光体は回転軸心方向に長い中空状の本体部を有し、前記光源は前記本体部の中心近傍に該本体部の回転軸心に沿って配置されたものでもよい。
【００１２】
ことを特徴とする請求項１〜５の何れかに記載の遊技機。
【００１３】
前記遮光体は前記遮光部と前記透過部とを回転方向に複数個備え、該複数個の遮光部及び透過部のうち少なくとも１は回転方向の長さが前記光源の光の拡散領域よりも大であってもよい。前記遮光体は前記遮光部と前記透過部とを回転方向に複数個備え、前記複数個の遮光部のうち少なくとも１は回転方向の長さが前記光源の光の拡散領域よりも大であり、前記複数個の透過部のうち１は回転方向の長さが前記拡散領域よりも小の閃光用透過部であり、前記閃光用透過部と該閃光用透過部の回転方向の両側の前記遮光部との回転方向の長さが前記拡散領域よりも大であってもよい。前記遮光体は遊技機本体の中央から遠い側が前記中央に近い側よりも大径であり、該遮光体は前記遠い側が前記近い側よりも前側となる回転軸心廻りに回転するようにしてもよい。
【発明の効果】
【００１４】
本発明によれば、発光演出手段による斬新な発光演出を実現でき、演出効果を増大できる利点がある。
【図面の簡単な説明】
【００１５】
【図１】本発明の第１の実施形態を示すスロットマシンの斜視図である。
【図２】同スロットマシンの縦断面図である。
【図３】同前面パネルの中間部分の分解斜視図である。
【図４】同前面パネルの中間部分の一部破断平面図である。
【図５】同第１発光演出手段及びその周辺部分の正面図である。
【図６】同第１発光演出手段及びその周辺部分の平面断面図である。
【図７】同第１発光演出手段の側面断面図である。
【図８】同第１発光演出手段の光源及び遮光体の一部破断背面図である。
【図９】同第１発光演出手段の光源及び遮光体の分解斜視図である。
【図１０】同第１発光演出手段の要部の拡大図である。
【図１１】同拡散部の拡大断面図である。
【図１２】同第１発光演出手段の発光時のタイムチャートである。
【図１３】同遮光体の回転時の動作説明図である。
【図１４】同遮光体の回転時の動作説明図である。
【図１５】本発明の第２の実施形態を示す第１発光演出手段の側面断面図である。
【図１６】本発明の第３の実施形態を示す第１発光演出手段の側面断面図である。
【図１７】本発明の第４の実施形態を示す遮光体の斜視図である。
【図１８】本発明の第５の実施形態を示す遮光体の断面図である。
【図１９】同遮光体の斜視図である。
【図２０】本発明の第６の実施形態を示す第１発光演出手段の側面断面図である。
【図２１】同要部の拡大図である。
【図２２】本発明の第７の実施形態を示す遮光体の斜視図である。
【図２３】同遮光体の展開図である。
【図２４】本発明の第８の実施形態を示す遮光体の斜視図である。
【図２５】同遮光体の展開図である。
【図２６】本発明の第９の実施形態を示す第１発光演出手段の側面断面図である。
【発明を実施するための形態】
【００１６】
以下、本発明の実施形態を図面に基づいて詳述する。図１〜図１４は本発明をスロットマシンに採用した第１の実施形態を例示している。図１、図２において、１は遊技機本体であり、筐体２と、この筐体２の前側に配置された矩形状の前面パネル３とを備えている。筐体２は前側が開放する箱形に形成されており、その前側を開閉自在に閉鎖するように前面パネル３が装着されている。
【００１７】
筐体２内には、図２に示すように、その上部に第１表示手段４が、中間部に第２表示手段５が夫々配置されている。第１表示手段４は液晶表示パネル等の画像表示手段により構成され、遊技状態の変化に応じて適宜演出画像を表示するようになっている。第２表示手段５は左右方向の回転軸廻りに回転可能な左右方向に複数個（例えば３個）の回転リール６を備え、筐体２の中間部の左右方向の棚板７上に設けられている。各回転リール６の外周面には周方向に所定間隔をおいて複数コマの遊技図柄が表示されており、回転用の駆動手段６６により各回転リール６を個別に駆動することによって、各回転リール６の遊技図柄を所定時間変動させるようになっている。
【００１８】
筐体２内の下部にはメダルを貯留するメダルホッパー８と、メダルホッパー８内のメダルを払い出すメダル払い出し手段９と、メダルホッパー８から溢流したメダルを受ける補助タンク１０とが配置されている。メダルホッパー８とメダル払い出し手段９は上下に結合されている。なお、筐体２内の上部にはその後壁２ａ側に主制御基板１１を収容する主制御基板ケース１２が装着されている。
【００１９】
前面パネル３は骨格体を構成するパネル枠１４と、このパネル枠１４に装着された化粧カバー１５等を備え、そのパネル枠１４が左右一端側で上下一対のヒンジ１６を介して筐体２の側壁に開閉、着脱自在に装着されている。前面パネル３の上部側には、第１表示手段４に対応する第１表示窓１７と、第２表示手段５に対応する第２表示窓１８とが上下に配置され、下部側には、操作パネル部１９と前パネル部２０とメダル受け皿２１とが上下に配置されている。
【００２０】
また前面パネル３には第１表示窓１７の左右両側に左右一対のスピーカ２２が設けられると共に、第２表示窓１８の上下、左右の略四隅に対応する第１発光演出手段２３が、第２表示窓１８の左右両側で上下の第１発光演出手段２３間に第２発光演出手段２４が夫々設けられている。
【００２１】
第１表示窓１７は第１表示手段４に対応して略矩形状に構成され、第１表示手段４の演出画像を前側から透視可能である。第２表示窓１８は第１表示手段４に対応する横長矩形状であり、この第２表示窓１８には各回転リール６に対応して複数個（例えば３個）の視認部１８ａが設けられている。各視認部１８ａは回転リール６が停止したときに複数コマ分（例えば３コマ分）の遊技図柄を前側から透視できるように上下方向に長い帯状に構成されている。なお、第２表示窓１８は各回転リール６の複数コマ分の遊技図柄を視認できるように、第１表示手段４に対応する横長矩形状に構成してもよい。
【００２２】
メダル受け皿２１は前面パネル３の最下部にあり、このメダル受け皿２１の上側には第２表示窓１８よりも前側に張り出す前パネル部２０が設けられている。操作パネル部１９は前パネル部２０の上面から前面上部に跨がって設けられ、その上面側にメダル投入口２５、メダル投入ボタン２６、十字キー２７、チャンスボタン２８等が設けられ、前面側には各回転リール６に対応する停止ボタン２９、各回転リール６の回転開始用のスタートレバー３０、リジェクトボタン３１、積算ボタン３２等が設けられている。
【００２３】
スタートレバー３０は各回転リール６の回転開始用であり、このスタートレバー３０を操作したときに各回転リール６が略同時に回転を開始するようになっている。停止ボタン２９は各回転リール６に対応して複数個あり、各停止ボタン２９を操作したときに、その停止ボタン２９に対応する回転リール６が停止するようになっている。
【００２４】
前面パネル３の裏下部側には、メダル投入口２５から投入されたメダルの正偽を選別する選別手段３３と、選別手段３３を通過した正規のメダルをメダルホッパー８へと案内する案内シュート３４と、選別手段３３で選別された偽メダルをメダル受け皿２１へと返却する返却シュート３５とが設けられている。なお、メダル払い出し手段９により払い出されたメダルは、返却シュート３５の下部側部分を経てメダル受け皿２１へと案内されるようになっている。
【００２５】
第１発光演出手段２３は回転発光式、第２発光演出手段２４は固定発光式であって、これらの発光演出手段２３，２４は遊技中にボーナスゲーム等の特別遊技状態、その他の遊技状態になるとき又はなったときに所定時間発光して、そのときの遊技状態を光学的に発光演出するためのものである。
【００２６】
前面パネル３の中間部分には、図３、図４に示すように、横長矩形状の窓孔３９を有する窓枠３８と、この窓枠３８に装着され且つ窓孔３９を塞ぐ透明板４０とが設けられ、これらにより第２表示窓１８が形成されている。窓枠３８は上部から左右両側に突出する上取り付け部４１と、下側の中間部分の下取り付け部４２とを有し、上取り付け部４１の先端がパネル枠１４の左右の側枠部１４ａに、下取り付け部４２が左右の側枠部１４ａを左右に連結する横枠部（図示省略）等の適宜箇所に夫々ネジ等により固定されている。
【００２７】
窓枠３８の左右両側とパネル枠１４の側枠部１４ａとの間には、上下一対の第１発光演出手段２３と、その間に配置された第２発光演出手段２４とが取り付け台４３及び化粧カバー４４を介して装着されている。取り付け台４３はパネル枠１４の側枠部１４ａから前側に突出する側壁部４３ａと、この側壁部４３ａの前端から窓枠３８側へと内向きに傾斜して配置された前壁部４３ｂとを一体に備え、上下の第１発光演出手段２３間に縦長状に配置され、その側壁部４３ａがパネル枠１４の側枠部１４ａに、前壁部４３ｂの内端側が窓枠３８に夫々ネジ等で固定されている。
【００２８】
化粧カバー４４は取り付け台４３の側壁部４３ａを外側から覆う側カバー部４４ａと、前壁部４３ｂを前側から覆う内向きの前カバー部４４ｂとを一体に備え、上下の第１発光演出手段２３に跨がって縦長状に配置され、側カバー部４４ａが取り付け台４３の側壁部４３ａの外側にネジ等により固定されている。前カバー部４４ｂの上下両端部には、各第１発光演出手段２３に対応する開口４５と、この開口４５を取り囲む縁部４６とが設けられている。
【００２９】
第２発光演出手段２４は縦長矩形状であって、図４に示すように、取り付け台４３の前壁部４３ｂの裏面に装着された発光基板４７と、この発光基板４７に縦横に所定間隔を置いて装着され且つ取り付け台４３の前壁部４３ｂの開口４３ｃを経て前側に光を照射するＬＥＤ等の複数個の発光体４８と、化粧カバー４４の前カバー部４４ｂの開口４５に装着された発光板４９と、取り付け台４３の前壁部４３ｂに装着され且つ発光基板４７を裏側から覆う裏カバー５０とを備えている。
【００３０】
取り付け台４３の前壁部４３ｂには、後側に凹入して発光体４８と発光板４９との間に光の拡散空間を形成する凹部５１があり、その凹部５１の裏側に発光基板４７が装着されている。発光板４９は光透過性を有する無色透明又は着色透明の合成樹脂製であって、通常時は内部の発光体４８等を前側から見え難くし、発光体４８が発光したときには乱反射して発光するように、前面又は裏面の略全面が粗面状又は凹凸状の乱反射面になっている。
【００３１】
各第１発光演出手段２３は、図１、図５に示すように、正面視形状が丸みを帯びた略直角三角形状であって、この第１発光演出手段２３の外周を取り囲む縁部４６の内、第２発光演出手段２４と対向する対向縁４６ａが略水平に、外側縁４６ｂが前面パネル３の外側に沿って略上下方向に夫々配置され、その対向縁４６ａと反対側が傾斜縁４６ｃとなっている。なお、第１発光演出手段２３の正面視形状は、略直角三角形状以外の任意の形状に変更することも可能である。
【００３２】
この第１発光演出手段２３は、図５〜図７に示すように、化粧カバー４４の開口４５に嵌め込まれ且つ第１発光演出手段２３の正面視形状を形作る発光カバー５２と、この発光カバー５２に裏側から光を照射して発光させるための光源５３と、発光カバー５２と光源５３との間に光源５３に対して相対回転（相対移動）可能に配置された遮光体５４と、遮光体５４を光源５３に対して回転中心Ｐ廻りに相対回転させる駆動手段６６と、発光カバー５２の裏側に配置され且つ光源５３及び発光カバー５２、又は発光カバー５２からの光を発光カバー５２側へと反射する反射体５５とを備え、遮光体５４は光源５３から発光カバー５２へと光を透過する透過部５６と、光源５３から発光カバー５２への光を遮光する遮光部５７とを有する。
【００３３】
発光カバー５２は前側に突出する突出頂部５２ａが左右方向の略中央よりも外側で上下略中央に位置し、この突出頂部５２ａから内側隅部へと稜線部５２ｂが延びる平面視略三角形に構成されている。従って、各第１発光演出手段２３の発光カバー５２は、正面視及び平面視において稜線部５２ｂが突出頂部５２ａから第２表示窓１８の略中央側へと延びるように傾斜状に配置されている。
【００３４】
なお、発光カバー５２は光透過性を有する無色透明又は着色透明の合成樹脂製であり、通常時は内部機構が前側から見え難くなり、光源５３からの光が直接又は間接的に照射したときには乱反射して発光するように、粗面状又は凹凸状の乱反射面をその前面又は裏面の略全面に設けてもよい。また発光カバー５２は正面視形状、平面視形状が略三角形である必要はなく、他の周辺部分と調和する形状、構造であれば十分である。
【００３５】
光源５３、遮光体５４は発光カバー５２の稜線部５２ｂに対応して傾斜状に配置されており、平面視において左右方向の外側が内側よりも前側に位置し、正面視において左右方向の外側が内側よりも第２発光演出手段２４から離れる位置にある。
【００３６】
光源５３は、図６〜図１０に示すように、光透過性を有する拡散支持体５８と、拡散支持体５８の裏側に装着された発光基板５９と、発光基板５９の前面に装着された左右方向に複数個のＬＥＤ等の発光体６０とを備え、遮光体５４の回転中心Ｐ側に左右方向に長く配置されている。拡散支持体５８は発光基板５９を前側から覆う覆い部６１と、各発光体６０に対応して覆い部６１に形成された複数個の拡散部６２とを有する。
【００３７】
拡散支持体５８は左右両端側の固定軸６３，６４を介して支持枠６５の両側壁６５ａ，６５ｂに着脱自在に固定されている。両固定軸６３，６４の内、その一方の固定軸６３は支持枠６５の側壁６５ａに、他方の固定軸６４は拡散支持体５８に夫々一体に設けられており、その一方の固定軸６３は拡散支持体５８の係合孔５８ａに、他方の固定軸６４は支持枠６５の側壁６５ｂの係合孔６５ｃに夫々相対回転不能に挿通又は係合されている。
【００３８】
拡散部６２は発光体６０からの光を発光カバー５２側へと所定の拡散領域Ｗ（図７参照）に拡散させるためのもので、拡散支持体５８から前側に突出して略同心状に形成された凹レンズにより構成されている。拡散支持体５８には、図１１に示すように、拡散部６２の裏側に発光体６０が収まる凹部６２ａがあり、その凹部６２ａの底面には発光体６０との間に所定の間隔をおいて対向する平坦面が光軸と略直角に形成されている。従って、発光体６０からの光は平坦面を経て拡散部６２に効率的に入射する。
【００３９】
拡散部６２の前面側には、図１１に示すように、中央に形成された先鋭な円錐面６２ｂと、この円錐面６２ｂの前端から外周側に断面円弧状に広がる湾曲面６２ｃとが発光体６０の光軸に対して略同心状に設けられている。その拡散部６２では、発光体６０がＬＥＤ等の指向性の強いものであっても、その光を円錐面６２ｂの先端側から外周の湾曲面６２ｃで略全周に拡散させることができる。覆い部６１の裏面には、発光体６０及び拡散部６２を中心に略同心円状の周溝６１ａが径方向に複数個形成されている。
【００４０】
拡散領域Ｗは発光カバー５２の上下両側を除く上下方向の略中央側の所定範囲に光源５３からの光を稜線部５２ｂに沿って横長状に直接照射するように設定されている。なお、発光カバー５２の上下方向の全範囲を発光させる場合には、発光カバー５２の拡散領域Ｗに対応する中央部分は光源５３から直接照射する光により発光するが、発光カバー５２の上下両側等の他の部分は、発光カバー５２の内面から反射体５５を経て発光カバー５２側の他の部分に反射する光により発光するようになっている。
【００４１】
遮光体５４は、図６〜図１０に示すように、遊技機本体１の左右方向の外側が大径で内側が小径となる左右方向に長い中空の半円状又は円弧状の本体部３７を有し、その本体部３７の周方向の略半分が長手方向の略全体にわたって開放する開放状になっている。この遮光体５４には周方向（回転方向）に透過部５６と遮光部５７とが複数個設けられている。
【００４２】
透過部５６には、図９、図１０に示すように、光源５３からの光を発光カバー５２へと短時間で閃光状に透過する２個の閃光用透過部（部分用透過部）５６ａと、その反対側に配置され且つ光源５３からの光を閃光用透過部５６ａよりも広域に長時間にわたって拡散状に透過する１個の広域用透過部５６ｂとがある。遮光部５７には、図９、図１０に示すように、２個の閃光用透過部（部分用透過部）５６ａ間に配置された広幅遮光部５７ａと、２個の閃光用透過部５６ａと広域用透過部５６ｂとの間に配置された狭幅遮光部５７ｂとがある。
【００４３】
３個の遮光部５７ａ，５７ｂの内少なくとも一つ、例えば広幅遮光部５７ａの周方向の長さは光源５３の拡散領域Ｗよりも大であり、この広幅遮光部５７ａが光源５３の前側に対応したときに、拡散領域Ｗの全ての光を遮光するようになっている。また各狭幅遮光部５７ｂの周方向の長さは光源５３の拡散領域Ｗよりも小であり、この狭幅遮光部５７ｂが光源５３の前側に対応したときに拡散領域Ｗの一部の光を遮光し、この狭幅遮光部５７ｂから遮光体５４の周方向に外れた拡散領域Ｗの光が発光カバー５２側に透過するようになっている。従って、狭幅遮光部５７ｂが光源５３の前側を通過するときには、その周方向の両側にある透過部５６ａ，５６ｂのうち少なくとも一方の透過部５６ａ，５６ｂを経て発光カバー５２に光を照射するようになっている。
【００４４】
閃光用透過部５６ａは広幅遮光部５７ａとその両側の狭幅遮光部５７ｂとの間にあり、各発光体６０に対応して左右方向に所定間隔を置いて列状に形成された複数個の透孔により構成されている。なお、各閃光用透過部５６ａは左右方向に長く、周方向に短い複数個の透孔により構成する他、全長に跨がる１個の長孔により構成してもよい。
【００４５】
閃光用透過部５６ａの周方向の長さは光源５３の拡散領域Ｗよりも小であり、また閃光用透過部５６ａとその周方向の両側の遮光部５７ａ，５７ｂとの周方向の長さは拡散領域Ｗよりも大である。従って、閃光用透過部５６ａとその両側の遮光部５７ａ，５７ｂとが光源５３の前の拡散領域Ｗを通過するときには、閃光用透過部５６ａを経て光源５３からの光が発光カバー５２に照射され、その周方向の両側では遮光部５７ａ，５７ｂにより光が遮光された状態となる。
【００４６】
このため発光カバー５２の発光状態は、閃光用透過部５６ａに対応する発光部分が明るく発光し、その両側に遮光部５７ａ，５７ｂにより光が遮光された暗い非発光部分ができるため、発光部分と非発光部分とのコントラストを大きくすることができる。
【００４７】
広域用透過部５６ｂは開放部により構成されており、その周方向の長さは拡散領域Ｗよりも十分に大になっている。そのため広域用透過部５６ｂが光源５３の前の拡散領域Ｗを通過するときには、その拡散領域Ｗの光は広域用透過部５６ｂを経て発光カバー５２の中央部分に直接照射するが、発光カバー５２の上下両側では発光カバー５２から反射体５５を経て発光カバー５２側に反射する反射光が照射することとなる。
【００４８】
なお、閃光用透過部５６ａに対応する発光部分は、広域用透過部５６ｂに対応する発光部分に比較して光量が少ないため暗くなるが、非発光部分とのコントラストが大であるため、非発光部分との関係で相対的に明るく見える。
【００４９】
光源５３の発光基板５９、拡散支持体５８は、遮光体５４が光源５３の前側に位置するときに、その開放部側を略塞ぐ形状となっている。なお、閃光用透過部５６ａは左右方向に長い１個の透孔により構成してもよいし、１個又は複数個の長い透孔を曲線状に配置したもの、複数個の透光を左右方向、周方向に位置を変えてジグザグ状、その他の形状に適宜に配置したものでもよい。
【００５０】
遮光体５４は、図７〜図１０に示すように、一端側が固定軸６３上の従動ギヤー６７に連結され、他端側の筒部６８が固定軸６４により回転自在に支持されている。駆動手段６６はモータ等により構成され、その駆動軸７５、大径の駆動ギヤー６９、従動ギヤー６７を介して遮光体５４を回転駆動するようになっている。
【００５１】
駆動手段６６は支持枠６５に取り付けられ、また駆動ギヤー６９は駆動軸７５と支持枠６５の側壁６５ａに形成された突起６５ｄとにより回転自在に支持されている。駆動ギヤー６９の軸部６９ａに一体に被検出部７０が設けられ、支持枠６５に被検出部７０を介して遮光体５４の原点を検出する非接触式のセンサ７１が設けられている。
【００５２】
なお、遮光体５４の原点は、広幅用遮光部５７ａが光源５３の前側に位置する遮光状態でもよいし、広域用透過部５６ｂが光源５３の前側に位置する透過状態でもよい。支持枠６５は図９に示すように光源５３の長手方向に二分割され、ネジ等で着脱自在に接合されている。
【００５３】
発光カバー５２は化粧カバー４４の開口４５に裏側から嵌め込まれており、発光体６０と共に化粧カバー４４に固定されている。発光体６０の前面には光源５３、遮光体５４の上下両側に、遮光体５４側へと後方に凹入して湾曲する円弧状の反射体５５が設けられている。この反射体５５は遮光体５４側へと後方に凹入する反射部５５ａを前面に備え、その反射部５５ａは多数の小さい凹面状の反射面５５ｂにより形成され、光源５３及び発光カバー５２、又は発光カバー５２からの光を発光カバー５２側へと乱反射するようになっている。
【００５４】
反射体５５は裏側の上下両側に取り付け部５５ｃを有し、この取り付け部５５ｃに支持枠６５がネジ等により固定されている。反射体５５は中央部に遮光体５４に対応する開口を有し、その開口を塞ぐ裏カバー７２が支持枠６５に装着されている。裏カバー７２は遮光体５４の回転軌跡に沿って円弧状に形成され、この裏カバー７２の上下略中央部に形成された切り欠き部７２ａに近接して駆動手段６６が配置されている。
【００５５】
このような構成のスロットマシンでは、遊技に際してメダル投入口２５から所定数のメダルを投入した後、スタートレバー３０を操作すると、第２表示手段５の各回転リール６が略同時に回転する。一方、各回転リール６の回転開始を契機に主制御基板１１の遊技選択手段等において、各回転リール６の停止後の遊技状態を、遊技者に有利なビッグボーナス、その他の特別遊技状態にするか否か等の遊技状態の選択が行われる。
【００５６】
各回転リール６の回転開始後、各停止ボタン２９を操作すると、その停止ボタン２９の操作順序で第２表示手段５の各回転リール６が順次減速しながら停止する。このときの各回転リール６の停止状況は第２表示窓１８の視認部１８ａを介して視認でき、また各回転リール６の停止により、各視認部１８ａに３コマの遊技図柄が停止表示される。そして、各視認部１８ａに停止表示される３コマの遊技図柄の内、左右方向、対角線方向等の入賞ライン上の遊技図柄が所定の組み合わせの入賞態様となれば、その入賞態様に応じてメダル払い出し手段９が所定数のメダルをメダル受け皿２１へと払い出す。
【００５７】
第２表示手段５の各回転リール６が回転し始めると、第１表示手段４が各回転リール６の回転に同期して各種の演出画像を変動表示し、選択された遊技状態に応じた画像演出を行う。一方、スピーカ２２が各回転リール６の回転に同期して遊技状態に応じた効果音を発生し、第１発光演出手段２３、第２発光演出手段２４が連続発光、点滅発光等により遊技状態に応じた発光演出を行う。第１表示手段４の演出画像、スピーカ２２の効果音、第１発光演出手段２３及び第２発光演出手段２４の発光演出は、各回転リール６の回転に同期して同時又は個別に行われる。
【００５８】
例えば特別遊技状態を抽選した場合には、第２表示手段５の各回転リール６の回転中、回転の終了時等の適宜時点において、第１発光演出手段２３の光源５３の点灯と、駆動手段６６による遮光体５４の回転とが略同時又は相前後して行われる。
【００５９】
仮に遮光体５４の広幅遮光部５７ａが光源５３の前側に対応する遮光状態の原点位置で停止中の場合には、先ず光源５３の各発光体６０が発光し、その光が拡散部６２を経て前向きに拡散するが、その全拡散領域Ｗの拡散光を広幅遮光部５７ａが遮光するため、発光カバー５２は発光しない非発光状態にある。
【００６０】
なお、遮光体５４が原点位置にある場合にも、広幅遮光部５７ａの周方向の長さを拡散領域Ｗよりも小にすれば、拡散領域Ｗの上下両側又は何れか一方の閃光用透過部５６ａを経て光を透過させることができる。そのため発光カバー５２に直接的、又は反射体５５の反射部５５ａを介して間接的に光を照射させる等して、発光カバー５２の対応箇所が淡く発光するようにしてもよい。
【００６１】
光源５３の点灯と略同時又はその直後に駆動手段６６が起動すると、駆動ギヤー６９、従動ギヤー６７を介して遮光体５４が横軸心廻りにａ矢示方向（図７参照）に回転する。そして、遮光体５４が原点位置から回転を開始すれば、遮光体５４の回転速度に応じた時間間隔で広幅遮光部５７ａ、閃光用透過部５６ａ、狭幅遮光部５７ｂ、広域用透過部５６ｂ、狭幅遮光部５７ｂが光源５３の前を順次通過し、その各閃光用透過部５６ａ、広域用透過部５６ｂが光源５３の前側を通過するときに、拡散領域Ｗの光が発光カバー５２の内面に照射する。このため遮光体５４の回転に伴って、遮光体５４の１回転毎に発光カバー５２が図１２に示す時間間隔で発光する。
【００６２】
例えば遮光体５４の閃光用透過部５６ａは、図１３に示すように拡散領域Ｗを短時間で通過し、しかも閃光用透過部５６ａにより絞られた状態で発光カバー５２の内面に光が点状又は帯状に照射して、発光カバー５２の閃光用透過部５６ａに対応する部分にスポット状の発光部分７３ａができる。一方、閃光用透過部５６ａの周囲には遮光部５７ａ，５７ｂ等があるため、発光カバー５２の遮光部５７に対応する周辺部分には非発光部分７３ｂができる。
【００６３】
また遮光体５４の広域用透過部５６ｂは、図１４に示すように閃光用透過部５６ａに比較して長い時間で拡散領域Ｗを通過し、発光カバー５２の拡散領域Ｗに対応する部分に光源５３からの光が直接照射して発光する発光部分７３ａができ、また拡散領域Ｗ以外の部分に発光カバー５２から反射体５５を経て反射光が発光カバー５２に照射して発光する発光部分７３ｃができ、発光カバー５２の拡散領域Ｗに対応する部分を含む略全体を発光させることができる。
【００６４】
従って、この実施形態に例示の第１発光演出手段２３の場合には、発光カバー５２の発光部分７３ａと非発光部分７３ｂとのコントラストが大となる上に、発光カバー５２の局部をスポット状に発光させたり、発光カバー５２の拡散領域Ｗに対応する部分とその周辺部分とを含む略全体を発光させたりすることが自在であり、従来に比較して第１発光演出手段２３による斬新な発光演出を実現でき、その演出効果を増大できる利点がある。
【００６５】
このように狭い閃光用透過部５６ａが拡散領域Ｗを通過するときには、発光カバー５２の閃光用透過部５６ａに対応する箇所が点状又は帯状に閃光的に発光し、広い広域用透過部５６ｂが拡散領域Ｗを通過するときには、発光カバー５２の広域用透過部５６ｂに対応する広域が発光する。従って、遮光体５４の回転に伴って発光カバー５２の発光部分７３ａが閃光発光状態と広域発光状態との間で極端に変化することとなる。しかもその閃光発光状態で発光する発光部分７３ａの周辺には非発光部分７３ｂができるため、非発光部分７３ｂを介して閃光発光状態と広域発光状態に変化するこめ、そのときの遊技状態を効果的に発光演出することができる。
【００６６】
また閃光的発光時には発光カバー５２の閃光用透過部５６ａに対応する発光部分７３ａが光の拡散領域Ｗ内で回転方向に移動し、閃光用透過部５６ａが光源５３の正面に位置したときに発光部分が最も強力に発光する。広域発光時には広域用透過部５６ｂの回転に伴って発光カバー５２の略全体まで発光部分７３ａ，７３ｃが増加し、略全体が発光する全体発光を経て発光領域が減少する。
【００６７】
遮光体５４の回転に伴う発光カバー５２の発光部分の変化は遮光体５４の回転速度に対応するものであり、遮光体５４の回転速度を大にすれば急激に変化し、回転速度を小にすれば緩慢に変化するため、遮光体５４の回転速度の大小を適宜変えることによっても発光演出に変化を持たせることができる。
【００６８】
閃光発光状態、広域発光状態では、発光カバー５２の閃光用透過部５６ａ、広域用透過部５６ｂに対応する主要部が発光する。しかし、発光カバー５２の内面は三次元的に変化する曲面であり、遮光体５４の上下両側には反射体５５の反射部５５ａが略凹面状に設けられており、その反射部５５ａが多数の凹面状の反射面５５ｂにより構成されているので、発光カバー５２の内面で反射された光が反射部５５ａの反射面５５ｂで乱反射して発光カバー５２の内面に反射される。従って、発光カバー５２の閃光用透過部５６ａ、広域用透過部５６ｂに対応する主要部の他、その主要部の周辺部等、主要部以外の他の部分も、反射体５５の反射部５５ａを介して主要部と同等又は主要部よりも減光状態で発光させることができる。
【００６９】
なお、遮光体５４は光源５３の発光に同期して一定速度で所定時間連続回転させてもよいし、途中で回転速度を変化させてもよい。また遮光体５４の回転中に、遮光部５７、閃光用透過部５６ａ又は広域用透過部５６ｂが光源５３の正面に対応する位置で遮光体５４を所定時間停止させる等、遮光体５４の回転と停止とを組み合わせるか、回転と停止とを複数回間欠的に繰り返すようにしてもよい。
【００７０】
発光カバー５２の裏側には遮光体５４の上下両側に、多数の反射凹部によって構成された反射体５５があり、発光カバー５２の内面で反射された光を反射体５５が発光カバー５２側へと乱反射する。このため反射体５５による発光カバー５２側への光の乱反射によって発光カバー５２を複雑に発光させることができる。
【００７１】
更に第１発光演出手段２３はその長手方向が第２表示窓１８の中央に向くように、第２表示手段５の上下、左右の四隅に対応して配置されているため、その４組の第１発光演出手段２３を第２表示手段５側の回転リール６の回転等に同期して発光演出を行うことにより、躍動感に溢れる動的発光演出が可能である。
【００７２】
第１発光演出手段２３は遮光体５４を駆動手段６６により駆動して光源５３廻りに回転させながら、その遮光体５４の遮光部５７と透過部５６が光源５３の前を通過することにより、光源５３からの光の遮光と透過とを繰り返すようにしているため、第１発光演出手段２３の単純な動きにより発光手段の発光状態を急激に変化させることができる。
【００７３】
しかも光源５３が遮光体５４の回転中心部に位置し、この光源５３の外周を遮光体５４が回転するため、全体の構成を小型化することができる。また光源５３は発光基板５９が遮光体５４の回転中心Ｐの近傍に位置し、この発光基板５９の前面に発光体６０と、拡散部６２を有する拡散支持体５８とを配置しているため、発光基板５９の板幅を極力大きく取ることができ、また裏側への光の拡散を極力防止することができる。
【００７４】
更に拡散支持体５８は左右両端側の固定軸６３，６４を介して支持枠６５の両側壁６５ａ，６５ｂにより回転自在に支持しているため、拡散支持体５８、発光基板５９及び発光体６０を含む光源５３と、遮光体５４とを簡単な構造で容易に支持することができる。
【００７５】
図１５は本発明の第２の実施形態を例示する。この実施形態の拡散領域Ｗは発光カバー５２の上下方向の略全範囲に対応するように設定されている。例えば、拡散領域Ｗを大にする手段としては、拡散部６２での光の拡散範囲を大にし、また光源５３及び遮光体５４の位置を第１の実施形態よりも後方に配置して、その光源５３及び遮光体５４と発光カバー５２との間隔を大にしている。なお、光の拡散範囲の拡大と、光源５３及び遮光体５４と発光カバー５２との間隔の拡大との何れか一方でもよいし、発光カバー５２の上下方向の幅を小さくしてもよい。
【００７６】
このように拡散領域Ｗを発光カバー５２の略全範囲に設定すれば、遮光体５４が回転したときに、拡散領域Ｗの範囲内で発光カバー５２の発光部分、非発光部分が回転方向に移動することになり、第１発光演出手段２３による発光演出の斬新性を更に向上させることができる。
【００７７】
図１６は本発明の第３の実施形態を例示する。この実施形態では、遮光体５４は図に示すように円筒状の本体部３７を有し、その本体部３７には閃光用透過部５６ａと遮光部５７とが周方向に複数個形成されると共に、周方向に隣り合う広域用透過部５６ｂ間に減光用透過部５６ｄが設けられている。減光用透過部５６ｄは閃光用透過部５６ａよりも細かい網目状に形成されている。他の構成は第１の実施形態と同様である。
【００７８】
この場合には、遮光体５４が回転すると、減光用透過部５６ｄでは光源５３からの光を透過するときに、閃光用透過部５６ａよりも細かい間隔で光源５３からの光の一部を遮光する。このため減光用透過部５６ｄが光源５３の前側を通過するときには、発光カバー５２の内面に照射する光量が減少することとなり、閃光発光状態に比較して相対的に発光状態を減光状態で発光させることができる。
【００７９】
図１７は本発明の第４の実施形態を例示する。この実施形態では、遮光体５４は直円筒状の本体部３７を有し、その本体部３７には遮光部５７の中間に閃光用透過部５６ａと広域用透過部５６ｂとが設けられている。閃光用透過部５６ａは長手方向及び周方向に複数個の透孔を有する。また広域用透過部５６ｂは周方向に幅の広い大きな開口を長手方向に複数個備え、その開口間に周方向の連結部５４ｃが形成されている。他の構成は第１の実施形態と同様である。
【００８０】
このように遮光体５４の広域用透過部５６ｂの途中に連結部５４ｃを設けることにより、遮光体５４の強度が向上するため、遮光体５４を樹脂成型する場合にも薄肉化により軽量化を図ることが可能である。
【００８１】
図１８、図１９は本発明の第５の実施形態を例示する。この実施形態では、遮光体５４は直円筒状の本体部３７を有し、その本体部３７には閃光用透過部５６ａと広域用透過部５６ｂとが遮光部５７ａ，５７ｂを介して周方向に設けられている。閃光用透過部５６ａは光源５３の長手方向に沿った長孔状であって、本体部３７の外側に突出する拡散制限筒部７４内に設けられている。拡散制限筒部７４は本体部３７の径方向に形成され、その内周面が光源５３からの光の拡散を制限するようになっている。他の構成は第１の実施形態と同様である。
【００８２】
このように閃光用透過部５６ａの外周に拡散制限筒部７４を設けることにより、閃光用透過部５６ａと発光カバー５２との間で光の拡散を防止できるため、発光カバー５２にできる発光部分７３ａをより鮮明に発光させることができる。
【００８３】
図２０、図２１は本発明の第６の実施形態を例示する。この実施形態では、遮光体５４は直円筒状の本体部３７を有し、その本体部３７には遮光部５７と第１開口部７５ａとが周方向に設けられている。遮光部５７は略半円状であり、その周方向の両側に第２開口部７５ｂが形成され、この第２開口部７５ｂに集光体７６が内側から嵌め込まれている。集光体７６は閃光用透過部５６ａと、この閃光用透過部５６ａ側に光を集光する集光面７６ａとが一体に設けられている。
【００８４】
第１開口部７５ａには広域用透過部５６ｂを構成する減光体７７が着脱自在に装着されている。減光体７７は細かい透過孔７７ａが多数形成された格子状、網目状等であって、この減光体７７で光源５３からの一部の光を反射して減光しながら、透過孔７７ａを経て発光カバー５２側へと光を透過するようになっている。なお、減光体７７は遮光体５４の第１開口部７５ａに係合爪等の係合手段７７ｂを介して着脱自在に装着されている。
【００８５】
このように遮光体５４に集光体７６を装着して光源５３からの光を閃光用透過部５６ａに集中させるようにすれば、遮光体５４の樹脂材料による金型成型も容易にできる。また広域用透過部５６ｂに減光体７７を設けることにより、発光カバー５２の広域用透過部５６ｂに対応する部分の明るさを抑えることができる。
【００８６】
図２２、図２３は本発明の第７の実施形態を例示する。この実施形態では、遮光体５４は直円筒状の本体部３７を有し、その本体部３７には局部用透過部５６ｃと広域用透過部５６ｂとが周方向に設けられている。局部用透過部５６ｃは周方向に長い長孔により構成され、この局部用透過部５６ｃが本体部３７の長手方向に所定間隔を置いて複数個形成されている。広域用透過部５６ｂは角孔その他の形状である。他の構成は第１の実施形態と同様である。
【００８７】
このように局部用透過部５６ｃは遮光体５４の回転方向に長く構成してもよい。この場合、発光カバー５２の各局部用透過部５６ｃに対応する発光部分は回転方向の帯状になるが、第１の実施形態と同様に発光演出が可能である。
【００８８】
図２４、図２５は本発明の第８の実施形態を例示する。この実施形態では、遮光体５４は直円筒状の本体部３７を有し、その本体部３７には局部用透過部５６ｃと広域用透過部５６ｂとが周方向及び長手方向に設けられている。局部用透過部５６ｃは螺旋状の長孔により構成されている。広域用透過部５６ｂは周方向に長い長孔状であり、本体部３７の長手方向の両側に周方向に設けられている。他の構成は第１の実施形態と同様である。
【００８９】
このように局部用透過部５６ｃは遮光体５４に螺旋状に設けてもよい。なお、局部用透過部５６ｃを本体部３７に螺旋方向に設ける場合、その螺旋方向に所定間隔を置いて間欠的に配置してもよいし、螺旋状の局部用透過部５６ｃの数を複数条にしてもよい。
【００９０】
図２６は本発明の第９の実施形態を例示する。この実施形態では、遮光体５４は透過部５６及び遮光部５７を周方向に備えた円筒状の本体部３７を有し、その本体部３７の中心Ｏよりも後側に偏芯量Ｑだけ偏芯して配置された回転中心Ｐ廻りに回転自在に支持されている。透過部５６は略同じ大きさの透孔により構成されているが、その他の形状でもよい。他の構成は第１の実施形態と同様である。
【００９１】
このように遮光体５４が偏芯中心廻りに回転するように構成することも可能である。この場合には、遮光体５４の回転に伴って本体部３７の周壁部と光源５３との間隔が変化するため、その間隔の変化により発光カバー５２の発光部分７３ａと非発光部分７３ｂとを大小に変化させることができる。
【００９２】
以上、本発明の実施形態について詳述したが、本発明はこの実施形態に限定されるものではなく、本発明の趣旨を逸脱しない範囲で種々の変更が可能である。例えば、各実施形態では遮光体５４が光源５３の外周を回転する回転式のものを例示しているが、光源５３と遮光体５４は相対移動可能な関係にあれば十分であり、例えば光源５３の廻りを遮光体５４が往復揺動するようにしてもよいし、遮光体５４が往復直線運動するようにしてもよい。
【００９３】
遮光体５４の透過部５６及び遮光部５７は、発光カバー５２の発光部分、非発光部分の表現形態に見合うものであればよい。例えば発光部分又は非発光部分により発光カバー５２上で移動するキャラクタを表現する場合には、そのキャラクタの形状に合わせて透過部５６と遮光部５７との相対形状を決定すればよい。従って、遮光体５４の透過部５６、遮光部５７の形状は任意に決定することが可能である。
【００９４】
また発光カバー５２の裏側に光源５３及び発光カバー５２、又は発光カバー５２からの光を発光カバー５２側へと反射させる反射体５５を備えておけば、光源５３からの光が発光カバー５２に直接照射する領域以外の部分を発光させることが可能であるが、照射領域内で透過部５６と遮光部５７との組み合わせにより発光演出を行う場合には、反射体５５は省略することができる。反射体５５を設けるに当たっても、反射体５５は発光カバー５２の意図する箇所に光を反射できればよいので、その形状、構造は実施形態に例示する以外のものであってもよい。
【００９５】
遮光体５４は同心円状に構成して光源５３の廻りを回転する回転式が機構的にも望ましいが、三角形状、五角形状、その他の形状でもよい。また光源５３、遮光体５４は、遮光体５４の回転軸心方向に長いものである必要はない。例えば、遮光体５４の本体部３７を中空球面状とし、この本体部３７を直径方向の支軸により回転自在に支持し、その本体内部に光源５３を設けたものでもよい。
【００９６】
光源５３の発光体６０はＬＥＤが適当であるが、その他のものを利用してもよい。例えば光の拡散性が大きい発光体６０の場合には、ＬＥＤ等の場合に使用される拡散部６２に代替して突レンズ等の集光部を設けてもよい。
【００９７】
複数個の遮光部５７及び透過部５６のうち少なくとも１は回転方向の長さが光源５３の光の拡散領域Ｗよりも大であることが望ましいが、複数個の遮光部５７及び透過部５６の全てが拡散領域Ｗよりも小であってもよい。また複数個の遮光部５７のうち１は回転方向の長さが拡散領域Ｗよりも小であり、複数個の透過部５６とその回転方向の両側の透過部５６との回転方向の長さが拡散領域Ｗよりも大であることが望ましいが、１の遮光部５７とその回転方向の両側の透過部５６との回転方向の長さが拡散領域Ｗよりも小であってもよい。
【００９８】
光源５３、遮光体５４は実施形態では、スロットマシンに採用した第１発光演出手段２３について例示しているが、パチンコ機、その他の遊技機でも同様に実施することが可能である。パチンコ機等の弾球遊技機に採用する場合には、遊技盤の前側に開閉自在に装着されたガラス扉の前面側上部に第１発光演出手段２３設けるか、遊技盤の遊技領域に配置された中央役物に設けることが考えられる。勿論、その他の箇所に設けてもよい。
【符号の説明】
【００９９】
１  遊技機本体
２  筐体
３  前面パネル
４  第１表示手段
５  第２表示手段
６  回転リール
１４  パネル枠
１５  化粧カバー
１７  第１表示窓
１８  第２表示窓
１９  操作パネル部
２３第１発光演出手段
２４  第２発光演出手段
５２  発光カバー
５３  光源
５４  遮光体
６６  駆動手段
５５  反射体
５６  透過部
５６ａ  閃光用透過部（部分用透過部）
５６ｂ  広域用透過部
５６ｄ  減光用透過部
５７  遮光部
５７ａ  広幅遮光部
５７ｂ  狭幅遮光部
５８  拡散支持体
５９  発光基板
６０  発光体
６２  拡散部
６５  支持枠
Ｗ  拡散領域
７３ａ，７３ｃ  発光部分
７３ｂ  非発光部分
７４  拡散制限筒部
【図１】
2014155520.tif 000003
【図２】
2014155520.tif 000004
【図３】
2014155520.tif 000005
【図４】
2014155520.tif 000006
【図５】
2014155520.tif 000007
【図６】
2014155520.tif 000008
【図７】
2014155520.tif 000009
【図８】
2014155520.tif 000010
【図９】
2014155520.tif 000011
【図１０】
2014155520.tif 000012
【図１１】
2014155520.tif 000013
【図１２】
2014155520.tif 000014
【図１３】
2014155520.tif 000015
【図１４】
2014155520.tif 000016
【図１５】
2014155520.tif 000017
【図１６】
2014155520.tif 000018
【図１７】
2014155520.tif 000019
【図１８】
2014155520.tif 000020
【図１９】
2014155520.tif 000021
【図２０】
2014155520.tif 000022
【図２１】
2014155520.tif 000023
【図２２】
2014155520.tif 000024
【図２３】
2014155520.tif 000025
【図２４】
2014155520.tif 000026
【図２５】
2014155520.tif 000027
【図２６】
2014155520.tif 000028